(57)【要約】      （修正有）【課題】昇降動作を有する座標入力装置を提供する。【解決手段】昇降動作を有する座標入力装置であって、上ハウジングと、下ハウジングと、上ハウジングと下ハウジングに収容される座標装置と、昇降装置と、定位機構と、からなり、上ハウジングの一側は握持部で、もう一側に操作領域を設け、下ハウジングは、上ハウジングと一体に結合され、座標装置は、デスクトップ上で使用して、電子装置のスクリーン上のカーソル等を制御し、昇降装置は、上ハウジングと下ハウジング間に設置され、且つ、上ハウジングは昇降装置を下ハウジングで上下に移動させることが出来、定位機構は、昇降装置と上ハウジング間に設置され、上ハウジングを適当な高度位置で定位させることを特徴とする昇降動作を有する座標入力装置。【選択図】図２
2005122685.tif 000002
【特許請求の範囲】
【請求項１】
昇降動作を有する座標入力装置であって、
上ハウジングと、
下ハウジングと、
前記上ハウジングと下ハウジングに収容される座標装置と、
昇降装置と、
定位機構と、
からなり、
前記上ハウジングの一側は握持部で、もう一側に操作領域を設け、
前記下ハウジングは、前記上ハウジングと一体に結合され、
前記座標装置は、デスクトップ上で使用して、電子装置のスクリーン上のカーソル等を制御し、
前記昇降装置は、前記上ハウジングと前記下ハウジング間に設置され、且つ、前記上ハウジングは前記昇降装置を前記下ハウジングで上下に移動させることが出来、
前記定位機構は、前記昇降装置と前記上ハウジング間に設置され、前記上ハウジングを適当な高度位置で定位させることを特徴とする昇降動作を有する座標入力装置。
【請求項２】
前記上ハウジングの握持部は上に定位槽を有し、前記定位機構の定位ブロックを置き入れることを特徴とする請求項１に記載の昇降動作を有する座標入力装置。
【請求項３】
前記上ハウジングの操作領域上にローラーを有することを特徴とする請求項１に記載の昇降動作を有する座標入力装置。
【請求項４】
前記座標装置は、マウス、或いは、トラックボールであることを特徴とする請求項１に記載の昇降動作を有する座標入力装置。
【請求項５】
前記昇降装置は軸心を設け、二つのフレーム状に交差するバーを貫接し、且つ、前記軸心は前記バー中央で、復位弾性素子を設け、前記バーの両側に、前記上ハウジングと前記下ハウジングを定位する定位端を形成していることを特徴とする請求項１に記載の昇降動作を有する座標入力装置。
【請求項６】
前記バーの両側の定位端は、前記下ハウジングの対応する定位部に位置することを特徴とする請求項４に記載の昇降動作を有する座標入力装置。
【発明の詳細な説明】
【技術分野】
【０００１】
本発明は、昇降動作を有する座標入力装置であって、特に、座標入力装置中の上ハウジングは、装置を下ハウジングの上下に移動が可能で、定位機構により、上下ハウジングが適当な高度位置で定位し、異なる掌尺寸の使用者が握持するのに適用される。
【背景技術】
【０００２】
現在、座標入力装置は、多くが、デスクトップ式で設計されたマウス、トラックボール、或いは、デジタルボードからなるが、コンピュータ技術発達に伴い、座標入力装置は、ゲームソフト、及び、インターネット技術の盛行により、使用者は使用者の操作上の便宜を図るため、ワイヤマウス、及び、トラックボールから、ワイヤレスマウス、及び、トラックボールに発展し、更に、現在のコンピュータ使用者は各年齢層にまで普及し、マウス、トラックボールが、異なる大きさの使用者の掌で使用される時、異なる尺寸の座標装置を購入する必要があり、そうでなければ、座標装置の握持部は使い心地が悪く、一般に市販されているマウス、トラックボールは、多くが一定の尺寸で、マウス、トラックボールは、外ケースの長短変化を利用して、握持尺寸を変更する時など、この種の長短伸縮方式は、掌握持部位のフィット、スムーズ感に欠け、人体工学設計の観点から、如何にして、異なる尺寸の掌の使用者に符号させ、そのコストの節約と、フィット感を増加させるかが、最近のメーカーの研究方向である。
【特許文献１】特開2001-125731
【発明の開示】
【発明が解決しようとする課題】
【０００３】
本発明は、上述の欠点を改善し、デスクトップ式の座標入力装置に対し、設計と改良を加え、好ましい握持特性を有する上下昇降方式により、高度の調整を行う、昇降動作を有する座標入力装置を提供することを目的とする。
【課題を解決するための手段】
【０００４】
本発明によると、昇降装置及び定位機構は、上下ハウジング間に設置され、上ハウジングは、昇降装置を下ハウジングで上下に移動し、更に、定位機構により、上下ハウジングを適当な高度位置に定位し、異なる掌尺寸の使用者が握持するのに適用され、適用性が広く、コストを節約できる。
【発明の効果】
【０００５】
適用性が広く、コストを節約できる。
【発明を実施するための最良の形態】
【０００６】
図１及び図２は、本発明の立体外観図、及び、立体分解図である。図から分かるように、上ハウジング１、下ハウジング２、及び、上ハウジング１と下ハウジング２に収容された座標装置３、昇降装置４、及び、定位機構、からなる。
【０００７】
上ハウジング１の一側は握持部１１で、且つ、握持部１１上に定位槽１１１を設置し、握持部１１のもう一側に操作領域１２を設け、操作領域１２上にローラー１２１を有する。
【０００８】
下ハウジング２内に、複数の湾折した定位部２１を設置する。
【０００９】
座標装置３は、デスクトップ上で使用して、電子装置のスクリーン上のカーソル等を制御し、その底部には、光学カーソル装置を有する。
【００１０】
昇降装置４は、上ハウジング１と下ハウジング２間に設置され、軸心４１により、二つのフレーム状に交差するバー４３を貫接し、且つ、軸心４１はバー４３中央に、復位弾性素子４２を設け、バー４３のもう一側に、下ハウジング２を定位する定位端４３１を形成している。
【００１１】
定位機構５は、スライドブロック５１、及び、定位ブロック５２を備え、且つ、スライドブロック５１は、複数の定位ノッチ５１１を設置して、定位ブロック５２を定位させ、スライドブロック５１は昇降装置４のバー４３のもう一側で挟持され、定位ブロック５２は上ハウジング１の定位槽１１１内に位置する。
【００１２】
図１、図２、及び、図３を参照すると、本発明は高度調整時、上ハウジング１を下ハウジング２のところから上に引っ張り、バー４３が軸心４１で旋転しても、スライドブロック５１が上ハウジング１内で前後に移動し、更に、上ハウジング１の定位槽１１１内に設けられた定位ブロック５２を、スライドブロック５１が設ける定位ノッチ５１１内に係入し、上ハウジング１は下ハウジング２で、適当な高度位置で定位する。
【００１３】
図４は、本発明のもう一つの実施例を示す立体外観図で、座標装置３はトラックボール３１の形式である。
【００１４】
また、本発明は、ワイヤ、ワイヤレスの形態でも使用が出来、対応する定位機構５と昇降装置４の細部構造は、ここでは一実施例として説明しただけで、よって、本発明は、上ハウジング１に対し、昇降装置４が下ハウジング２で上下に移動でき、更に、定位機構５により、上下ハウジング１、２を適当な高度位置で定位させる。
【図面の簡単な説明】
【００１５】
【図１】本発明の立体外観図である。
【図２】本発明の立体分解図である。
【図３】本発明による高度調整後の立体外観図である。
【図４】本発明によるもう一つの実施例の立体外観図である。
【符号の説明】
【００１６】
１…上ハウジング
１１…握持部
１１１…定位槽
１２…操作領域
１２１…ローラー
２…下ハウジング
２１…定位部
３…座標装置
３１…トラックボール
４…昇降装置
４１…軸心
４２…復位弾性素子
４３…バー
４３１…定位部
５…定位機構
５１…スライドブロック
５２…定位ブロック
５１１…ノッチ
【図１】
2005122685.tif 000003
【図２】
2005122685.tif 000004
【図３】
2005122685.tif 000005
【図４】
2005122685.tif 000006